(57)【要約】【課題】      基板に配設されている電気部品を保護することができる遊技機を提供する。【解決手段】  ダイオードスタックＤ１〜Ｄ３、ダイオードスタックＤ１〜Ｄ３の放熱部材１３７が配設されている電源基板１２７、電源基板１２７を収容する基板収容部材（ボックス本体１２３、ボックスカバー１２５）を備え、放熱部材１３７の少なくとも一部は基板収容部材から露出している遊技機（パチンコ機１００）において、放熱部材１３７は、抵抗Ｒ１を介して接地されている。【選択図】    図５
2006271773.tif 000002
【特許請求の範囲】
【請求項１】
電気部品、前記電気部品の放熱部材が配設されている基板、前記基板を収容する基板収容部材を備え、前記放熱部材の少なくとも一部は前記基板収容部材から露出している遊技機であって、
前記放熱部材は、抵抗を介して接地されている、
ことを特徴とする遊技機。
【発明の詳細な説明】
【技術分野】
【０００１】
本発明は、パチンコ機、スロットマシン等の遊技機に関し、詳しくは遊技機の基板に配設されている電気部品を保護する技術に関する。
【背景技術】
【０００２】
パチンコ機やスロットマシン等の遊技機では、基板に電気部品が配設されている複数の回路基板が用いられている。例えば、回路基板として、遊技状態に応じてパチンコ機を動作させるための制御回路が実装されている制御基板（全体の遊技動作を制御する主制御回路が配設されている主制御基板、遊技球の払い出し動作を制御する払出制御回路が配設されている払出制御基板等）や、外部入力電源を所定の電圧値の電源に変換して制御基板に出力する電源基板等が用いられている。回路基板は、通常、それぞれ基板ボックス内に収容され、回路基板に配設されている電気部品が保護されている。
なお、回路基板には、回路基板に配設されている電気部品から発生した熱を放出するための放熱部材が設けられている場合がある。この放熱部材が基板ボックス内に全て収容されていると、基板ボックス内の温度が上昇し、回路基板に配設されている電気部品に悪影響を及ぼす虞があった。そこで、放熱部材を基板ボックス外に露出するように構成した遊技機が提案されている（特許文献１参照）。
【特許文献１】特開２００３−９３６９８号公報
【発明の開示】
【発明が解決しようとする課題】
【０００３】
ところで、遊技場には、複数の遊技機が設置されている島設備に、商用ＡＣ１００Ｖ等の電源ケーブルが配線されている。そして、従来の技術に記載したように、放熱部材が基板ボックス外に露出するように構成した遊技機の場合、この島設備の電源ケーブルが、露出した放熱部材に接触する虞があった。この際、例えば、当該電源ケーブルの被覆が劣化して電源線が露出していると、放熱部材が接地されている場合（例えば、回路基板のグランドパターンに直接接続されている場合）には、その電源線が放熱部材と接触することで当該電源の短絡が発生し、遊技機や島設備に悪影響を及ぼす虞があった。このため、基板ボックスから露出するように放熱部材が配設されている場合には、放熱部材は、一般的に接地されていなかった。
一方、遊技機がパチンコ機の場合、放熱部材の放熱効果を高める手法として、放熱部材を、パチンコ球が通る球通路に隣接させて配置する手法が検討されている。この場合、放熱部材から放出される熱によって温められた空気が、球通路を構成する部材の壁面に沿って鉛直方向上方に流れる。すなわち、球通路を構成する部材の壁面を用いて放熱部材の放熱経路を形成することができる。ところが、球通路には、パチンコ球がパチンコ機に配給される経路や、パチンコ機内部を流下する経路で、パチンコ球同士の摩擦、パチンコ球と球通路を形成する部材との摩擦等に起因する静電気が発生している。このような静電気が放熱部材を介して瞬間的に放電することにより、回路基板に配設されている電気部品に悪影響（例えば、電気部品の誤動作や劣化）が発生する虞があった。
本発明は、かかる点に鑑みてなされたものであり、遊技機において、電源の短絡の発生を防止するとともに静電気による悪影響の発生を防止し、基板に配設されている電気部品を保護する技術を提供する。
【課題を解決するための手段】
【０００４】
上記課題を達成するため、特許請求の範囲の請求項記載の発明が構成される。
請求項１に記載の発明によれば、電気部品、電気部品の放熱部材が配設されている基板、基板を収容する基板収容部材を備え、放熱部材の少なくとも一部は基板収容部材から露出している遊技機が構成される。
そして、この放熱部材は、抵抗を介して接地されている。
「基板収容部材」は、放熱部材の少なくとも一部が基板収容部材から露出するように基板を収容することができる構成となっていればよく、したがって、基板収容部材自体は、基板及び基板に配設されている電気部品全体を閉塞的に覆う構成となっていなくてもよい。典型的には、基板収容部材には放熱部材を露出させるための開口部が設けられており、基板収容部材に基板が収容されることにより、基板収容部材及び放熱部材のいずれかの壁面により基板及び基板に配設されている電気部品が閉塞的に覆われる。
「放熱部材」は抵抗を介して接地されていればよく、典型的には、基板に接続されている放熱部材の所定の箇所が基板の配線パターンにより抵抗の一端に接続され、当該抵抗の他端が基板のグランドパターン（接地されている配線パターン）に接続される。
本発明の遊技機によれば、放熱部材は、抵抗を介して接地されているので、何らかの要因により、基板収容部材から露出された放熱部材が電源線に接触しても、当該電源の短絡が発生して遊技機や島設備に悪影響を及ぼす虞が少ない。また、放熱部材は、常時、抵抗を介して接地されているので、静電気が蓄積されない。したがって、放熱部材を介して瞬間的に過大なエネルギーが放出される虞が少なく、回路基板に配設されている電気部品に悪影響（例えば、電気部品の誤動作、劣化等）が発生する虞が少ない。
したがって、電源の短絡の発生を防止するとともに静電気による悪影響の発生を防止し、回路基板に配設されている電気部品を保護することができる。
【発明の効果】
【０００５】
本発明によれば、遊技機において、電源の短絡の発生を防止するとともに静電気による悪影響の発生を防止して、回路基板に配設されている電気部品を保護する技術が提供されることとなった。
【発明を実施するための最良の形態】
【０００６】
本発明の遊技機の実施の形態を、図１〜図６を参照して説明する。本実施の形態は、本発明をパチンコ機として構成したものである。
本実施の形態のパチンコ機では、電源基板ボックスから露出した状態で配設されている放熱部材を、１ＭΩの抵抗を介して接地している。
図１は、パチンコ機の全体を示す斜視図である。図２は、パチンコ機を裏側から見た概略構成図である。図３は、電源基板が組み付けられた電源基板ボックスの、ボックス本体と、ボックスカバーとを分離した状態で示す斜視図である。図４には、払出制御基板ボックス、及び電源基板ボックスのボックスカバーを取り外した状態の、図２に示すＡ部の拡大図を示す。図５には、電源基板に配設されている回路のブロック図を示す。図６には、電源基板の配線パターンの一部を示す。
【０００７】
図１に示すように、パチンコ機１００は、概括的には、外枠１０１と、本体枠１０３と、遊技盤１０５と、ガラス枠１０７等からなる。本体枠１０３はパチンコ機１００の前方から見て左側縁部がヒンジを介して外枠１０１に開閉自在に取り付けられる。遊技盤１０５は本体枠１０３に前方から嵌め込まれた状態で取り付けられる。
【０００８】
また、図２に示すように、パチンコ機１００には、電源基板ボックス１２１、主制御基板ボックス１１３、払出制御基板ボックス１１１、表示制御基板ボックス１１２、副制御基板ボックス１１５が設けられている。
電源基板ボックス１２１には、ＡＣ２４Ｖの外部入力電源を制御基板に供給するＤＣ１２ＶおよびＤＣ３４Ｖの電源に変換する回路が設けられた電源基板が収容されている。主制御基板ボックス１１３には、パチンコ機１００全体の遊技動作を制御する主制御回路が配設されている主制御基板が収容されている。払出制御基板ボックス１１１には、遊技球の払い出し動作を制御する払出制御回路が配設されている払出制御基板が収容されている。表示制御基板ボックス１１２には、表示動作を制御する表示制御回路が配設されている表示制御基板が収容されている。副制御基板ボックス１１５には、主制御基板から入力された主コマンド信号に基づいて副コマンド信号を表示制御基板に出力する副制御回路が配設されている副制御基板が収容されている。
電源基板ボックス１２１と払出制御基板ボックス１１１は、本体枠１０３の裏面における遊技盤取付用の開口部（図示省略）の下方領域に、パチンコ機１００の裏側から見て電源基板ボックス１２１が奥側（前側）となるように前後方向に積層した状態で装着されている。なお電源基板ボックス１２１は、図２において左端が僅かに描かれている。
また、主制御基板ボックス１１３と副制御基板ボックス１１５は、遊技盤１０５（図２では遊技盤の大部分を覆う裏カバー１０５ａが示されている）の下部領域に前後方向に積層状に装着されている。なお副制御基板ボックス１１５は、図２において左端が僅かに描かれている。
また、表示制御基板ボックス１１２は、裏カバー１０５ａ内に装着されている。
なお、上述した各種の回路基板を収容する基板ボックスは、ボックス本体とボックスカバーとからなり、ボックスカバーについては、ボックス内部の回路基板の部品実装面を外から透視できるように、透明な合成樹脂によって形成されている。なお上述した各種の基板ボックスの装着構造については、本発明に直接関係しないため、説明を省略する。
【０００９】
次に、図３を用いて、他の回路基板よりも比較的発熱量が大きい電源基板１２７を収容した電源基板ボックス１２１の構成を説明する。
電源基板１２７が収容されている電源基板ボックス１２１は、電源基板１２７、ボックス本体１２３、ボックスカバー１２５とから構成されている。ボックス本体１２３に取り付けられた電源基板１２７には、主に部品面（ボックスカバー１２５側）に各種の電気部品が実装されている（図３では、省略してある。詳しくは、後述する。）。
また、電源基板１２７の部品面の一方の側部（図３に示す右側）には、金属製（例えばアルミ製）の放熱部材１３７が取り付けられている。この放熱部材１３７は、本体部１３８と、本体部１３８の一方の側面から延出した複数の翼片１３９ａが所定間隔で並列に配置されて構成される放熱フィン１３９とを備える。放熱フィン１３９の翼片１３９ａは、電源基板ボックス１２１を本体枠１０３に装着した状態において、概ね鉛直方向（上下方向）に延びている。
本実施の形態のボックス本体１２３とボックスカバー１２５は本発明における「基板収容部材」に対応する。
【００１０】
ボックスカバー１２５は、ボックス本体１２３に対する装着面側が開放された箱型形状に形成され、電源基板１２７の部品実装面側（パチンコ機後面側）に対し前端縁を当接した状態でボックス本体１２３にネジ等によって接合され、これによって電源基板１２７の部品実装面を覆い保護する。またボックスカバー１２５の一方の側面（パチンコ機の裏側から見て右側面）には、放熱部材１３７の放熱フィン１３９をボックスカバー１２５の外面に露出させるための方形状の開口１２５ａが形成されている。従って、ボックス本体１２３にボックスカバー１２５が接合された状態では、放熱部材１３７の放熱フィン１３９がボックスカバー１２５の開口１２５ａから外側に露出される。
また放熱部材１３７は、開口１２５ａの内周面との間に殆ど隙間が生じない状態で当該開口１２５ａに嵌り込み、これによって電源基板ボックス１２１の壁面を構成する。このため、不正行為や衝突等から電源基板を保護することができる。なお本実施の形態では、放熱フィン１３９の大部分がボックスカバー１２５の側面から突き出るように設定しているが、その突出量については、適宜に設定される。
【００１１】
次に、電源基板ボックス１２１に収容されている電源基板１２７の構成について図５、図６を用いて説明する。
図５に示すように、電源基板１２７には、ＡＣ２４Ｖの外部入力電源が入力される電源コネクタＣＮ１、外部入力電源のノイズを除去するフィルタＬＦ１、外部入力電源を整流するダイオードスタックＤ１〜Ｄ３、入力された電源をＤＣ１２Ｖに変換する電源回路１３１、主制御回路や払出制御回路に停電予告検出信号を出力する停電検出回路Ｔ１、電源回路１３１で変換したＤＣ１２Ｖや停電予告検出信号を電源基板１２７外に出力するためのコネクタＣＮ２が設けられている。各部品は、電源基板１２７に設けられた配線パターンで適宜接続されている。
なお、ダイオードスタックＤ３は２個のダイオードを有し、各ダイオードのアノードが端子３１，３３にそれぞれ接続されている。２個のダイオードのカソードは共通接続され、端子３２に接続されている。同様に、ダイオードスタックＤ２は２個のダイオードを有し、各ダイオードのアノードが端子２１，２３にそれぞれ接続されている。２個のダイオードのカソードは共通接続され、端子２２に接続されている。また、ダイオードスタックＤ１は２個のダイオードを有し、各ダイオードのカソードが端子１３，１１にそれぞれ接続されている。２個のダイオードのアノードは共通接続され、端子１２に接続されている。
電源コネクタＣＮ１は２個の端子を有し、それぞれがフィルタＬＦ１の入力側に、電源基板１２７に設けられている配線パターンで接続されている。
フィルタＬＦ１の出力側は、プラス側がダイオードスタックＤ３の端子３１、ダイオードスタックＤ２の端子２１に接続されている。ダイオードスタックＤ１の端子１３に接続されている。また、マイナス側がダイオードスタックＤ３の端子３３、ダイオードスタックＤ２の端子２３に接続されている。ダイオードスタックＤ１の端子１１に接続されている。
ダイオードスタックＤ３の端子３２は、コネクタＣＮ２のＤＣ３４Ｖ出力端子に接続されている。また、ダイオードスタックＤ２の端子２２は、電源回路１３１のプラス側入力端子に、ダイオードスタックＤ１の端子１２は、電源回路１３１のマイナス側入力端子に接続されている。
【００１２】
電源回路１３１のプラス側出力端子は、コネクタＣＮ２のＤＣ１２Ｖ出力端子に接続される。また、停電検出回路Ｔ１に接続されている。この停電検出回路Ｔ１は、入力されたＤＣ１２Ｖの電圧が、停電等に起因して閾値以下になると、停電予告検出信号を出力する。停電検出回路Ｔ１の出力側は、コネクタＣＮ２の停電予告検出信号の出力端子に接続されている。
なお、コネクタＣＮ２のグランド端子、電源回路１３１のマイナス側出力端子、電源回路１３１のマイナス側入力端子、ダイオードスタックＤ１の端子１２は電源基板１２７のグランドパターンＧ（図５に太線で示す。）に接続され、共通接地されている。
また、ダイオードスタックＤ１〜Ｄ３は発熱し易いので、放熱部材１３７が取り付けられている。この放熱部材１３７は、抵抗Ｒ１を介して、電源基板１２７のグランドパターンＧに接続されている。
ダイオードスタックＤ１〜Ｄ３の発熱の原理、これによる放熱部材１３７の選択方法は、本発明の主旨とは関係ないので、その詳細な説明は省略する。
また、電源基板１２７には、図５の回路図に示した電気部品や回路以外にも種々の電気部品や回路が設けられているが、これらの記載は省略してある。
【００１３】
この構成により、電源コネクタＣＮ１から入力されたＡＣ２４Ｖの外部入力電源は、フィルタＬＦ１でノイズが除去され、ダイオードスタックＤ３，Ｄ１で整流され、図示省略してある平滑回路で平滑化される。そして、ＤＣ３４Ｖの電圧の電源として、コネクタＣＮ２を介して他の回路基板に供給される。
また、フィルタＬＦ１でノイズが除去されたＡＣ２４Ｖの外部入力電源は、ダイオードスタックＤ２，Ｄ１で整流され、電源回路１３１に入力され、ＤＣ１２Ｖの電圧の電源に変換される。このＤＣ１２Ｖの電圧の電源は、コネクタＣＮ２を介して他の回路基板に供給される。
また、停電検出回路Ｔ１から停電予告検出信号が出力された場合には、コネクタＣＮ２を介して主制御基板の主制御回路や払出制御基板の払出制御回路に停電予告検出信号が出力される。
【００１４】
ところで、図４に示すように、パチンコ機１００の裏側から見て、電源基板ボックス１２１の右隣には、球通路構成部材１４３が設けられている。
そして、通路構成部材１４３にはアウト球排出通路１６１が形成されている。アウト球排出通路１６１は、上下方向に延びる上部通路部分１６３（図４に破線によって示される）と、パチンコ機１００の裏面から見て放熱部材１３７の下方を通って手前側（後側）に所定の長さ延伸している下部通路部分１６５とを有する。アウト球排出通路１６１の下部通路部分１６５は、上面側が開放された樋状に形成されるとともに、底面が手前側に向かって下り傾斜面に形成されており、延出端である後端部の底面にアウト球排出口１６７が形成されている。これら下部通路部分１６５の樋状の開放部およびアウト球排出口１６７は、放熱部材１３７の直下に位置されている。
遊技時において、遊技盤１０５の中央下部に設けられたアウト球の流出口からアウト球排出通路１６１へ誘導されたアウト球は、アウト球排出通路１６１の上部通路部分１６３および下部通路部分１６５を流動した後、アウト球排出口１６７から下方へ落下して図示省略の島側設備によって回収されるようになっている。
【００１５】
本実施の形態では、このように、球通路構成部材１４３に隣接する位置に、電源基板１２７の放熱部材１３７を配設してある。これにより、放熱部材１３７の放熱フィン１３９から放出される熱によって温められた空気が、球通路構成部材１４３の壁面（図４に示す左側壁面）に沿って鉛直方向上方に流れる。すなわち、球通路構成部材１４３の壁面を用いて放熱フィン１３９の放熱経路を形成することができる。
ところが、パチンコ球には、パチンコ球がパチンコ機１００に島設備から配給される経路や、パチンコ機１００内部を流下する経路で、パチンコ球同士の摩擦、パチンコ球と球通路を形成する部材との摩擦等により静電気が発生している。そこで、静電気が発生しているパチンコ球が放熱部材１３７の近傍を通り、この静電気が放熱部材１３７を介して瞬間的に放電して、回路基板に配設されている電気部品に悪影響が発生する虞がある。このため、本実施の形態のパチンコ機１００では、放熱部材１３７を、抵抗Ｒ１を介して接地している（併せて、図５参照）。
【００１６】
図６に示すように、放熱部材１３７には、電源基板１２７に取り付けるための脚部７１〜７４が４箇所に設けられており、各脚部が電源基板１２７に設けられた放熱部材用の取り付け孔に挿入され固定される。この取り付け孔のうち、図６に示す下方に設けられている２つの取り付け孔（脚部７１，７２用取り付け孔）が配線パターンによって接続され、さらに、当該配線パターンは、抵抗Ｒ１が取り付けられる部品孔の一方側に接続されている。抵抗Ｒ１が取り付けられる他方側の部品孔は、電源基板１２７のグランドパターンに接続されている。このグランドパターンＧは、前記したように、ダイオードスタックＤ１の端子１２、コネクタＣＮ２のグランド端子にも接続されている（併せて、図５参照）。
これにより、放熱部材１３７は、電気的に、抵抗Ｒ１を介してグランドパターンＧに接続され、抵抗Ｒ１を介して接地される。
【００１７】
抵抗Ｒ１としては、放熱部材１３７が仮に商用ＡＣ１００（Ｖ）等の電源線に接触したとしても、電源基板１２７に配設されている電気部品に悪影響が発生しないような抵抗値を有する抵抗素子が選択される。
例えば、抵抗Ｒ１として１ＭΩの抵抗値を有する抵抗素子を選択すれば、放熱部材１３７が１００（Ｖ）の電源線に接触した場合、抵抗Ｒ１に流れる電流は、０．１ｍＡ（１０−４（Ａ）＝１００（Ｖ）／１０６（Ω））となり、電源基板１２７に配設されている電気部品に悪影響が発生し難い。例えば、放熱部材１３７が１００（Ｖ）の電源線に接触した場合であっても、流れる電流によりダイオードスタックＤ１〜Ｄ３が損傷はしない。また、上述した静電気を、抵抗Ｒ１を介して放電することもできる。さらに、表皮効果の少ない金属被膜抵抗や巻線抵抗を用いれば、表皮効果が発生してグランドパターンＧに過大な電流が流れる虞が少ない。
そこで、本実施の形態の抵抗Ｒ１は、抵抗値１ＭΩの酸化金属皮膜抵抗を用いている。
【００１８】
本実施の形態のパチンコ機１００によれば、放熱部材１３７は、抵抗Ｒ１を介して接地されているので、何らかの要因により、ボックスカバー１２５から露出された放熱部材１３７が島設備等の電源線に接触しても、電源の短絡が発生してパチンコ機１００や島設備に悪影響を及ぼす虞が少ない。
また、放熱部材１３７は、常時、抵抗Ｒ１を介して接地されているので、静電気が蓄積されない。したがって、放熱部材１３７を介して瞬間的に過大なエネルギーが放出される虞が少なく、電源基板１２７に配設されている電気部品（例えば、ダイオードスタックＤ１〜Ｄ３）に悪影響が発生する（ダイオードスタックＤ１〜Ｄ３が劣化する、ダイオードスタックＤ１〜Ｄ３が誤動作する等）虞が少ない。
したがって、電源の短絡の発生を防止するとともに静電気による悪影響の発生を防止し、電源基板１２７に配設されている電気部品を保護することができる。
【００１９】
本発明は、実施の形態で説明した構成に限定されず、種々の変更、追加、削除が可能である。
本実施の形態では、電源基板１２７に設けられている放熱部材１３７を抵抗Ｒ１を介して接地する場合について説明したが、他の回路基板に配設されている放熱部材にも本発明を適用することができる。
本実施の形態では、本発明をパチンコ機１００に適用した場合について説明したが、スロット等他の遊技機に適用することもできる。
【００２０】
また、本発明は、以下のように構成することもできる。
例えば、「（態様１）請求項１に記載の遊技機であって、
前記抵抗として酸化金属被膜抵抗を用いる、
ことを特徴とする遊技機。」として構成することができる。
「酸化金属被膜抵抗」は、両端に高電圧が印加されても表皮効果が発生し難い種類の抵抗であることが知られている。
本態様の遊技機によれば、前記した抵抗の抵抗値が表皮効果により低下する虞が少なく、静電気による悪影響の発生を確実に防止することができる。
【００２１】
また、「（態様２）請求項１又は態様１に記載の遊技機であって、
前記基板は電源基板である、
ことを特徴とする遊技機。」として構成することができる。
電源基板は、一般的に、発熱し易い部品が配設されており、したがって、放熱部材を基板収容部材から露出した状態で遊技機に組み付ける場合が多い。
本態様の遊技機によれば、電源基板の放熱部材が、何らかの要因により島設備等の電源線に接触しても、当該電源の短絡により電源基板に配設されている電気部品に悪影響が発生する虞が少ない。
【００２２】
また、「（態様３）請求項１、態様１、態様２のいずれかに記載の遊技機であって、
前記電気部品はダイオードスタックである、
ことを特徴とする遊技機。」として構成することができる。
ダイオードスタックは発熱し易く、このため、ダイオードスタックの熱を放熱するために、放熱部材を基板収容部材から露出した状態で遊技機に組み付ける場合が多い。
本態様の遊技機によれば、ダイオードスタックの放熱部材が、何らかの要因により島設備等の電源線に接触しても、当該電源の短絡により、基板に配設されているダイオードスタックやその他の電気部品に悪影響が発生する虞が少ない。
【００２３】
また、「（態様４）請求項１、態様１〜態様３のいずれかに記載の遊技機であって、
前記抵抗として、前記放熱部材が電源線に接触しても前記電気部品が損傷しない抵抗値を有する抵抗素子が選択される、
こと特徴とする遊技機。」として構成することができる。
「電源線」とは、例えば、島設備の商用１００Ｖ等の電源の配線、遊技機内の基板間に配設されているＤＣ３４Ｖ等の電源線を意味する。
「電気部品が損傷しない抵抗値」とは、放熱部材が電源線に接触した際に流れる電流により電気部品が損傷しない抵抗値を意味する。
本発明の遊技機によれば、簡単な構成で、電気部品を保護することができる。
【００２４】
また、「（態様５）請求項１、態様１〜４のいずれかに記載の遊技機であって、
前記放熱部材は、遊技球が通る球通路に隣接して配設されている、
ことを特徴とする遊技機。」として構成することができる。
「球通路」は、遊技機内の遊技球が存在する場所を広く包含し、典型的には、遊技球が移動する通路、遊技球が貯留される部位を包含する。
本態様の遊技機によれば、放熱部材を球通路に隣接した位置に配設することにより、放熱部材から放出される熱によって温められた空気が、球通路を構成する部材の壁面等に沿って鉛直方向上方に流れる。すなわち、球通路を構成する部材で放熱部材の放熱経路を形成することができる。したがって、放熱部材による放熱効果が向上する。
また、放熱部材は、抵抗を介して常時接地されているので、隣接している球通路を遊技球が通ることにより発生している静電気が蓄積されない。したがって、放熱部材を介して瞬間的に過大なエネルギーが放出される虞が少なく、回路基板に配設されている電気部品に悪影響（例えば、電気部品の誤動作、劣化等）が発生する虞が少ない。
【図面の簡単な説明】
【００２５】
【図１】パチンコ機１００の全体を示す斜視図である。
【図２】パチンコ機１００を裏側から見た概略構成図である。
【図３】電源基板１２７が収容された電源基板ボックス１２１の組み立て図を示す。
【図４】払出制御基板ボックス１１１、及び電源基板ボックス１２１のボックスカバー１２５を取り外した状態の、図２に示すＡ部の拡大図を示す。
【図５】電源基板１２７に配設されている電源回路のブロック図を示す。
【図６】電源基板１２７の配線パターンの一部を示す。
【符号の説明】
【００２６】
１００  パチンコ機（遊技機）
１０１  外枠
１０３  本体枠
１０５  遊技盤
１０５ａ  裏カバー
１０７  ガラス枠
１０９  前板
１１１  払出制御基板ボックス
１１２  表示制御基板ボックス
１１３  主制御基板ボックス
１１５  副制御基板ボックス
１２１  電源基板ボックス
１２３  ボックス本体
１２５  ボックスカバー
１２５ａ  開口
１２７  電源基板
１３１  電源回路
１３５  フィルタ
１３７  放熱部材
１４３  球通路構成部材
１６１  アウト球排出通路
ＣＮ１  電源コネクタ
ＣＮ２  コネクタ
Ｄ１，Ｄ２，Ｄ３  ダイオードスタック
ＬＦ１  フィルタ
Ｒ１  抵抗
Ｔ１  停電検出回路
【図１】
2006271773.tif 000003
【図２】
2006271773.tif 000004
【図３】
2006271773.tif 000005
【図４】
2006271773.tif 000006
【図５】
2006271773.tif 000007
【図６】
2006271773.tif 000008